(57)【要約】【課題】電線に生じた局所的な異常熱上昇でも早期に発見でき、電線の被覆材やその周辺を燃焼させることのない異常熱上昇感知機能付電線を提供する。【解決手段】設定温度で融解する熱融解絶縁体２にて被覆した細電線３を主電線４に接触させ、その状態のまま主電線４及び細電線３を主絶縁体５にて被覆し、更に主電線４と細電線３との間にこれらの電気的導通状態を見る監視装置を有するとともに、この監視装置からの電気的導通の感知信号により主電線４に対する電気供給の遮断器を有してなり、監視装置にて主電線４と細電線３との電気的導通状態を見ることで、主電線４に異常熱上昇が発生したことを感知し、且つ監視装置からの電気的導通の感知信号により遮断器にて主電線４への電気供給を遮断するから、電線に生じた局所的な異常熱上昇でも早期に発見でき、電線の被覆材やその周辺を燃焼させることがない。【選択図】        図１
2005294232.tif 000002
【特許請求の範囲】
【請求項１】
設定温度で融解する熱融解絶縁体にて被覆した細電線を主電線に接触させ、その状態のまま前記主電線及び前記細電線を主絶縁体にて被覆してなり、前記主電線に発生した異常熱上昇により前記設定温度に達した際、前記細電線の熱融解絶縁体が融解して、前記主電線と前記細電線とが電気的導通状態になるようにしたことを特徴とする異常熱上昇感知機能付電線。
【請求項２】
設定温度で融解する熱融解絶縁体にて被覆した細電線を主電線に接触させ、その状態のまま前記主電線及び前記細電線を主絶縁体にて被覆し、更に前記主電線と前記細電線との間にこれらの電気的導通状態を見る監視装置を有してなり、前記監視装置にて前記主電線と前記細電線との電気的導通状態を見ることで、前記主電線に異常熱上昇が発生したことを感知するようにしたことを特徴とする異常熱上昇感知機能付電線。
【請求項３】
設定温度で融解する熱融解絶縁体にて被覆した細電線を主電線に接触させ、その状態のまま前記主電線及び前記細電線を主絶縁体にて被覆し、更に前記主電線と前記細電線との間にこれらの電気的導通状態を見る監視装置を有するとともに、該監視装置からの電気的導通の感知信号により前記主電線に対する電気供給を遮断する遮断器を有してなり、前記監視装置にて前記主電線と前記細電線との電気的導通状態を見ることで、前記主電線に異常熱上昇が発生したことを感知し、且つ前記監視装置からの電気的導通の感知信号により前記遮断器にて前記主電線への電気供給を遮断するようにしたことを特徴とする異常熱上昇感知機能付電線。
【請求項４】
前記細電線の前記熱融解絶縁体は、前記主電線の主絶縁体よりも融点が高い請求項１、２または３記載の異常熱上昇感知機能付電線。
【発明の詳細な説明】
【技術分野】
【０００１】  本発明は、電線の破損等による異常熱上昇を早期に発見し、火災等の発生を未然に防止することが出来る異常熱上昇感知機能付電線に関し、詳しくは、設定温度で熱融解する絶縁体にて被覆した細電線を主電線に接触させ、その状態のまま主絶縁体にて被覆して、主電線から発生した熱により細電線の熱融解絶縁体が熱融解して、主電線と細電線とが電気的導通状態をもって、異常熱上昇を感知するようにした異常熱上昇感知機能付電線に関する。
【背景技術】
【０００２】  従来、電線の破損等による異常熱上昇を来たし、その結果火災が発生することを防止するには、（１）まず、電線を被覆している絶縁材を不燃性材料や難燃性材料にして、着火しないようにすること、
（２）そして、（１）の対策に加えて、電気機器類にサーマルリレーなどを付帯させ、このサーマルリレーなどの作動により、電気機器類への電気供給をやめて、電気機器類の発熱及びそれによる周辺の可燃物への着火を防ぐこと、などが知られている。【０００３】  まず、（１）の電線の絶縁材を不燃性材料や難燃性材料にする公知例としては、以下のようなものがある。
【特許文献１】特開平９−２７９０６５号公報
【特許文献２】特開２０００−２０７９５２号公報
【特許文献３】特開２００３−２６１７１９号公報
【発明の開示】
【発明が解決しようとする課題】
【０００４】  （１）の上記した特許文献１ないし３は、いずれも主に絶縁特性が良好で安価な絶縁材であるポリオレフィン系樹脂に難燃性処理を施すことにより、電線の燃焼試験内容である、燃焼距離、燃焼時間、燃焼物の落下についての規格を、満足させるようにしたものである。したがって、電線に生じた異常熱上昇により、絶縁材のポリオレフィン系樹脂が燃焼することを未然に検知し、燃焼を防いで火災を防止するものではない。すなわち、電線の被覆材としてこれらの難燃性処理を施したポリオレフィン系樹脂は、事実上燃焼するが、燃焼したポリオレフィン系樹脂の燃焼時間や延焼距離をできるだけ短くし、更に、燃焼物の落下をなくし、他のものに着火し難くして、最終的に火災を起きずづらくしているに過ぎない。したがって、火災を減らすことはできても、完全に防止することはできない。【０００５】  （２）のものは、電気機器類及び電線に生じた異常熱上昇をサーマルリレーなどにて感知し、電気機器類への電気供給をやめて、火災の発生を防ぐが、電線に生じた局所的な異常熱上昇に対しては感知までに時間がかかり、（１）の場合と同様に、火災を減らすことはできても、完全に防止することはできない。【０００６】  そこで、本発明は、上記事情に鑑みてなされたもので、電線に生じた局所的な異常熱上昇でも早期に発見でき、電線の被覆材やその周辺物を燃焼させることのない異常熱上昇感知機能付電線を提供することを課題とする。
【課題を解決するための手段】
【０００７】  本発明は、上記課題を達成するために提案されたものであって、下記の構成からなることを特徴とするものである。
すなわち、請求項１記載の発明は、設定温度で融解する熱融解絶縁体にて被覆した細電線を主電線に接触させ、その状態のまま前記主電線及び前記細電線を主絶縁体にて被覆してなり、前記主電線に発生した異常熱上昇により前記設定温度に達した際、前記細電線の熱融解絶縁体が融解して、前記主電線と前記細電線とが電気的導通状態になるようにしたことを特徴とする。【０００８】  請求項２記載の発明は、設定温度で融解する熱融解絶縁体にて被覆した細電線を主電線に接触させ、その状態のまま前記主電線及び前記細電線を主絶縁体にて被覆し、更に前記主電線と前記細電線との間にこれらの電気的導通状態を見る監視装置を有してなり、前記監視装置にて前記主電線と前記細電線との電気的導通状態を見ることで、前記主電線に異常熱上昇が発生したことを感知するようにしたことを特徴とする。【０００９】  請求項３記載の発明は、設定温度で融解する熱融解絶縁体にて被覆した細電線を主電線に接触させ、その状態のまま前記主電線及び前記細電線を主絶縁体にて被覆し、更に前記主電線と前記細電線との間にこれらの電気的導通状態を見る監視装置を有するとともに、該監視装置からの電気的導通の感知信号により前記主電線に対する電気供給を遮断する遮断器を有してなり、前記監視装置にて前記主電線と前記細電線との電気的導通状態を見ることで、前記主電線に異常熱上昇が発生したことを感知し、且つ前記監視装置からの電気的導通の感知信号により前記遮断器にて前記主電線への電気供給を遮断するようにしたことを特徴とする。【００１０】  請求項４記載の発明は、前記細電線の前記熱融解絶縁体は、前記主電線の主絶縁体よりも融点が高いことを特徴とする。
【発明の効果】
【００１１】  本発明によれば、以下のような効果がある。
請求項１記載の発明は、主電線に何らかの原因により異常熱上昇が発生し、その異常熱上昇により設定温度に達すると、細電線の熱融解絶縁体が融解するから、主電線と細電線とが電気的導通状態になり、その電気的導通状態を見ることで、主電線に異常熱上昇が発生していることが分かる。したがって、電線に生じた局所的な異常熱上昇であっても、それを早期に発見でき、すぐに適切な処置をとれれば、主電線の被覆材である主絶縁体を燃焼させることがない効果がある。【００１２】  請求項２記載の発明は、主電線に発生している異常熱上昇を、監視装置にて主電線と細電線との電気的導通状態を見ることで、分かる。したがって、上記効果に加えて、監視装置にて電線に生じた異常熱上昇をすぐに発見できる効果がある。【００１３】  請求項３記載の発明は、主電線に発生している異常熱上昇を、監視装置にて感知したあと、その電気的導通の感知信号により遮断器を作動させ、主電線への電気供給を遮断する。したがって、上記効果に加えて、遮断器にて電線に生じている異常熱上昇の原因である、主電線への電気供給を直ちに遮断できる効果がある。【００１４】  請求項４記載の発明は、細電線の熱融解絶縁体が、主電線の主絶縁体よりも融点が高いと、主電線及び熱融解絶縁体被覆の細電線を主絶縁体に被覆加工する際、熱融解絶縁体の融解がない。したがって、上記効果に加えて、主電線及び熱融解絶縁体被覆の細電線に主絶縁体を被覆加工するのが極めて容易となる効果がある。
【発明を実施するための最良の形態】
【００１５】  以下に、図面を参照して本発明の異常熱上昇感知機能付電線を実施するための最良の形態を説明する。
【実施例１】
【００１６】  図１は本発明の異常熱上昇感知機能付電線の断面図、図２は本発明の異常熱上昇感知機能付電線の斜視図、図３は本発明の異常熱上昇感知機能付電線のフローシート図である。図面において、１は異常熱上昇感知機能付電線であり、この異常熱上昇感知機能付電線１は、設定温度で融解する熱融解絶縁体２にて被覆した細電線３を主電線４に接触させ、その状態のまま主電線４及び細電線３を主絶縁体５にて被覆し、更に主電線４と細電線３との間にこれらの電気的導通状態を見る監視装置６を有するとともに、この監視装置６からの電気的導通の感知信号により主電線４に対する電気供給を遮断する遮断器７を有してなり、監視装置６にて主電線４と細電線３との電気的導通状態をを見ることで、主電線４に異常熱上昇が発生したことを感知し、且つ監視装置６からの電気的導通の感知信号により遮断器７にて主電線４への電気供給を遮断するようにしたものである。なお、ここで異常熱上昇とは、電線が何らかの原因で高温となり、電線の被覆材や周辺の可燃部を燃焼させる可能性のある場合をいう。【００１７】  前記主電線４及び前記細電線３は、銅、アルミニウム、鉄などの電導体であり、細電線３は主電線４に巻き付け可能な程度の柔軟性があれば、特に限定がない。主電線４も電線としての柔軟性が必要であり、加えて、細電線３は多少の弾性が必要である。この多少の弾性程度は、予め設定した温度下で、細電線３に被覆してある熱融解絶縁体２が融解して細電線２が剥き出しになった際、主電線４及び細電線３が接触して電気的導通をする程度の弾性である。また、これら主電線４及び細電線３は、同材質であっても、異材質であっても良く、要は予め設定する温度条件の内容によりそれらの材質を決定する。【００１８】  前記細電線３に被覆している熱融解絶縁体２は、予め設定した温度条件下で、何らかの原因により主電線４に異常熱上昇が発生すると、これに接触しているから融解して細電線３が剥き出しになり、絶縁機能を失い主電線４に接触して電気的導通をするためのものである。【００１９】  また、前記主絶縁体５は、主電線４及び熱融解絶縁体２被覆の細電線３を共に被覆するものであり、図１に示すように、主電線４及び熱融解絶縁体２に直接接触している内層１０と、その外側の外層１１とからなる。内層１０及び外層１１は、ともにポリオレフィン系樹脂が使用されている。内層１０は、熱融解絶縁体２と同等あるいはそれより低い融解点を有するポリオレフィン系樹脂が良く、その理由は、主電線４及び熱融解絶縁体２被覆の細電線３に内層１０を被覆する際、熱融解絶縁体２が融解せず、作り易いからである。そして、外層１１は当然のことながら少なくとも難燃性や耐摩耗性が要求される。【００２０】  前記熱融解絶縁体２に使用されるポリオレフィン系樹脂は、比較的高い１５０℃程度の融点を示す、例えば、ポリプロピレン、エチレン共重合ポリプロピレン、ポリ−４−メチル−ペンテン−１などである。前記主絶縁体５に使用されるポリオレフィン系樹脂は、比較的低い１２０℃ないし１３０℃程度の融点を示す、例えば、直鎖状低密度ポリエチレン、メタロセンポリエチレンなどである。なお、熱融解絶縁体２及び主絶縁体５に使用される樹脂は、電線の��覆材としての適性があるものであれば、上記したポリオレフィン系樹脂に限定されるものではない。ただ、熱融解絶縁体２に使用される樹脂は、上述のとおり、主絶縁体５に使用される樹脂よりも融点が高い方が作り勝手がよい。【００２１】  前記監視装置６は、主電線４の接点Ａと細電線３の接点Ｂとの間に接続し、これらの電気的導通、すなわち、細電線３を被覆している熱融解絶縁体２が融解してその絶縁機能を失い、主電線４と細電線３とが接触している状態、すなわち、予め設定した温度以上の異常熱上昇が主電線４に発生していることを、見るためのものである。更に、この監視装置６は警報器１２に接続し、主電線４の接点Ａと細電線３の接点Ｂとの電気的導通があると、主電線４上に異常熱上昇が発生しているとして、電気的導通の感知信号を警報器１２に出し、それを受けて警報器１２は警報を出す。この警報器１２からの警報を受けて、監視者は適切な対応をとることができる。【００２２】  前記遮断器７は、異常熱上昇感知機能付電線１の主電線４と電源１３との間に接続し、監視装置６からの電気的導通の感知信号を受けて、主電線４への電源１３からの電気供給を遮断するものである。したがって、これにより、主電線４への電気供給が遮断されるから、主電線４におけるこれ以上の異常熱上昇がなくなり、主絶縁体５及び熱融解絶縁体２として使用されている樹脂が燃えたり、その周囲の可燃物が燃えたりすることがなくなる。【００２３】  次に、上記構成になる異常熱上昇感知機能付電線１の利用方法について説明する。
まず、図４に示すように、異常熱上昇感知機能付電線１に、照明機器、家電機器、モータなどの負荷１４が接続されている場合、負荷１４あるいは異常熱上昇感知機能付電線１自体に生じた何らかのトラブルにより、その主電線４に異常熱上昇が発生すると、その熱により主電線４に接触している熱融解絶縁体２が温度上昇し、遂には融点に達し熱融解して、その細電線３が剥き出しとなり絶縁機能を失い、主電線４と細電線３とが接触して電気的導通をすることになり、それを監視装置６が見て主電線４上に異常熱上昇が発生したことを感知し、その旨警報器１２に通知して作動させ、管理者に伝達する。また、図４のように、遮断器７があれば、その遮断器７にもその電気的導通の感知信号を送り、遮断器７は直ちに作動して電源１３を遮断して、火災等の発生を未然に防ぐことができる。一方、監視装置６が主電線４と細電線３との間の電気的導通が無いことを見ているときは、主電線４に異常熱上昇が発生していないことを示す。【００２４】  なお、監視装置６による電気的導通の感知信号は、無線や構内配線により離れた管理事務所に発信されても良いし、電話回線などを介してセキュリティー会社に発信されても良い。このようにしてあれば、２重にも３重にも安全対策がなされていることになる、【００２５】  以上、本発明の実施例１を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００２６】  本発明の異常熱上昇感知機能付電線は、局所的に異常熱上昇が発生しても、すぐにそれを感知できるから、一般家屋や燃え易いものを生産しているような工場である場合に、産業上の利用可能性が極めて高くなる。
【図面の簡単な説明】
【００２７】
【図１】本発明の異常熱上昇感知機能付電線の断面図である（実施例１）。
【図２】本発明の異常熱上昇感知機能付電線の斜視図である（実施例１）。
【図３】本発明の異常熱上昇感知機能付電線のフローシート図である（実施例１）。
【図４】本発明の異常熱上昇感知機能付電線の他のフローシート図である（実施例１）。
【符号の説明】
【００２８】      １                      異常熱上昇感知機能付電線
２                      熱融解絶縁体
３                      細電線
４                      主電線
５                      主絶縁体
６                      監視装置
７                      遮断器
１０                    内層
１１                    外層
１２                    警報器
１３                    電源
１４                    負荷
Ａ、Ｂ                  接点
【図１】
2005294232.tif 000003
【図２】
2005294232.tif 000004
【図３】
2005294232.tif 000005
【図４】
2005294232.tif 000006